【手続補正書】
【提出日】平成21年1月27日(2009.1.27)
【手続補正１】
【補正対象書類名】明細書
【補正対象項目名】特許請求の範囲
【補正方法】変更
【補正の内容】
【特許請求の範囲】
【請求項１】
顕微鏡や光通信などに用いられるパルス幅がフェムト秒からピコ秒のオーダーのレーザ光であるフェムト秒パルスレーザ光を光ファイバを用いて伝送させるフェムト秒パルスレーザ光の光ファイバ伝送装置においてフェムト秒パルスレーザ光を光ファイバにカップリングさせる方法であって、フェムト秒パルスレーザ光源から出射されたレーザ光が、少なくとも分散補償部による分散補償および少なくとも１つの可動ミラーを有する反射部による反射を施された後に入力コリメータから光ファイバに入射され、かつ、前記レーザ光が前記光ファイバから出力される前に、カップリングモニタ用検出部を通過することを特徴とするフェムト秒パルスレーザ光の光ファイバ伝送装置の自動光ファイバカップリング方法。
【請求項２】
請求項１に記載のフェムト秒パルスレーザ光の光ファイバ伝送装置の自動光ファイバカップリング方法において、前記可動ミラーは、可動ミラーが形成する平面上にある軸ｘと、前記軸ｘに直交し、かつ可動ミラーが形成する平面上にある軸ｙの二軸のうちの少なくとも１つの軸のまわりに回転させることが可能な可動ミラーであることを特徴とするフェムト秒パルスレーザ光の光ファイバ伝送装置の自動光ファイバカップリング方法。
【請求項３】
請求項２に記載のフェムト秒パルスレーザ光の光ファイバ伝送装置の自動光ファイバカップリング方法において、前記可動ミラーを回転させる方法が前記軸ｘについては第１のミラー角度制御モータによって、前記軸ｙについては第２のミラー角度制御モータによってそれぞれ回転させる方法であることを特徴とするフェムト秒パルスレーザ光の光ファイバ伝送装置の自動光ファイバカップリング方法。
【請求項４】
請求項１〜３のいずれか１項に記載のフェムト秒パルスレーザ光の光ファイバ伝送装置の自動光ファイバカップリング方法において、前記入力コリメータがステップモータ駆動台上に配置されており、前記ステップモータ駆動台がステップモータ駆動台上の前記入力コリメータの位置を特定の範囲内で変化させることができるようになっていることを特徴とするフェムト秒パルスレーザ光の光ファイバ伝送装置の自動光ファイバカップリング方法。
【請求項５】
請求項１〜４のいずれか１項に記載のフェムト秒パルスレーザ光の光ファイバ伝送装置の自動光ファイバカップリング方法において、前記カップリングモニタ用検出部がベント用ロッドに前記光ファイバの一部を巻いて形成されている検出光取り出し部を有することを特徴とするフェムト秒パルスレーザ光の光ファイバ伝送装置の自動光ファイバカップリング方法。
【請求項６】
請求項１〜５のいずれか１項に記載のフェムト秒パルスレーザ光の光ファイバ伝送装置の自動光ファイバカップリング方法において、前記カップリングモニタ用検出部が前記光ファイバの途中にファイバカプラを設けることによって形成された検出光取り出し部を有していることを特徴とするフェムト秒パルスレーザ光の光ファイバ伝送装置の自動光ファイバカップリング方法。
【請求項７】
請求項１〜６のいずれか１項に記載のフェムト秒パルスレーザ光の光ファイバ伝送装置の自動光ファイバカップリング方法において、前記カップリングモニタ用検出部が制御回路に接続されており、前記カップリングモニタ用検出部の出力信号に応じて前記制御回路が前記第１のミラー角度制御モータと前記第２のミラー角度制御モータと前記ステップモータ駆動台を制御することを特徴とするフェムト秒パルスレーザ光の光ファイバ伝送装置の自動光ファイバカップリング方法。
【請求項８】
請求項１〜７のいずれか１項に記載のフェムト秒パルスレーザ光の光ファイバ伝送装置の自動光ファイバカップリング方法において、前記制御回路に前記フェムト秒パルスレーザの出射するレーザ光の波長に対応して、前記可動ミラーおよび前記入力コリメータの位置を制御することに関するデータがデータファイルにメモリーされていることを特徴とするフェムト秒パルスレーザ光の光ファイバ伝送装置の自動光ファイバカップリング方法。
【請求項９】
顕微鏡や光通信などに用いられるパルス幅がフェムト秒からピコ秒のオーダーのレーザ光であるフェムト秒パルスレーザ光を光ファイバを用いて伝送させるフェムト秒パルスレーザ光の光ファイバ伝送装置において、前記フェムト秒パルスレーザ光の光ファイバ伝送装置は、少なくとも、分散補償ユニット、可動ミラーを有する反射部、入力コリメータ、制御回路およびカップリングモニタ用検出部を有しており、フェムト秒パルスレーザ光源から出射されたレーザ光が、前記分散補償ユニットにより分散補償を施され、前記反射部により反射された後に入力コリメータから光ファイバに入射され、前記レーザ光が前記光ファイバから出力される前に、カップリングモニタ用検出部を通過するように構成されており、前記カップリングモニタ用検出部の出力を利用して当該レーザ光の前記入力コリメータから前記光ファイバへのカップリングの条件を自動的に調整する手段を有していることを特徴とするフェムト秒パルスレーザ光の光ファイバ伝送装置。
【請求項１０】
請求項９に記載のフェムト秒パルスレーザ光の光ファイバ伝送装置において、前記反射部が固定ミラーと可動ミラーを有することを特徴とするフェムト秒パルスレーザ光の光ファイバ伝送装置。
【請求項１１】
請求項９または１０に記載のフェムト秒パルスレーザ光の光ファイバ伝送装置において、前記可動ミラーは、可動ミラーの１つの回転軸としての軸ｘと、前記軸ｘに直交し、かつ可動ミラーの他の回転軸としての軸ｙの二軸のまわりにそれぞれ回転させることが可能な可動ミラーであることを特徴とするフェムト秒パルスレーザ光の光ファイバ伝送装置。
【請求項１２】
請求項１１に記載のフェムト秒パルスレーザ光の光ファイバ伝送装置において、前記可動ミラーが、前記軸ｘについては第１のミラー角度制御モータ、前記軸ｙについては第２のミラー角度制御モータによって、それぞれの軸について回転させる方法で回転されるようになっていることを特徴とするフェムト秒パルスレーザ光の光ファイバ伝送装置。
【請求項１３】
請求項９〜１２のいずれか１項に記載のフェムト秒パルスレーザ光の光ファイバ伝送装置において、前記入力コリメータの位置を特定の範囲内で変化させることができるようになっていることを特徴とするフェムト秒パルスレーザ光の光ファイバ伝送装置。
【請求項１４】
請求項１３に記載のフェムト秒パルスレーザ光の光ファイバ伝送装置において、前記入力コリメータをステップモータ駆動台上に配置させ、ステップモータ駆動台を移動させることによって入力コリメータの位置を変化させる方法で、前記入力コリメータの位置を特定の範囲内で変化させていることを特徴とするフェムト秒パルスレーザ光の光ファイバ伝送装置。
【請求項１５】
請求項９〜１４のいずれか１項に記載のフェムト秒パルスレーザ光の光ファイバ伝送装置において、前記カップリングモニタ用検出部の検出光取出し部としてベント用ロッドに前記光ファイバの一部を巻いて形成した部分を利用していることを特徴とするフェムト秒パルスレーザ光の光ファイバ伝送装置。
【請求項１６】
請求項９〜１５のいずれか１項に記載のフェムト秒パルスレーザ光の光ファイバ伝送装置において、前記カップリングモニタ用検出部の検出光取出し部が前記光ファイバの途中に設けられたファイバカプラを有していることを特徴とするフェムト秒パルスレーザ光の光ファイバ伝送装置。
【請求項１７】
請求項９〜１６のいずれか１項に記載のフェムト秒パルスレーザ光の光ファイバ伝送装置において、前記カップリングモニタ用検出部が前記制御回路に接続されており、前記カップリングモニタ用検出部の出力信号に応じて前記制御回路が前記第１のミラー角度制御モータと前記第２のミラー角度制御モータと前記ステップモータ駆動台の少なくとも１つを制御することを特徴とするフェムト秒パルスレーザ光の光ファイバ伝送装置。
【請求項１８】
請求項９〜１７のいずれか１項に記載のフェムト秒パルスレーザ光の光ファイバ伝送装置において、前記フェムト秒パルスレーザの出射するレーザ光の波長の変化に対応して、前記可動ミラーおよび前記入力コリメータの位置を制御することに関するデータが前記制御回路のデータファイルにメモリーされていることを特徴とするフェムト秒パルスレーザ光の光ファイバ伝送装置。